(57)【特許請求の範囲】
【請求項１】
キーボードと、内蔵表示デバイスとを備えると共に、プロジェクタを接続可能な携帯情報処理装置において、
前記キーボードに設けられた特定キーと、
前記プロジェクタの選択の有無を示すプロジェクタフラグを設定するフラグ設定手段と、
前記プロジェクタフラグが前記プロジェクタの選択を示す場合には、前記特定キーの操作に応じて、前記プロジェクタに送出する表示情報の色調整を行う色調整手段と、
前記プロジェクタフラグが前記プロジェクタの選択を示さない場合には、前記特定キーの操作に応じて、前記内蔵表示デバイスの輝度調整を行う内蔵表示デバイス制御手段と、
を備えたことを特徴とする携帯情報処理装置。
【請求項２】
前記色調整手段は、前記プロジェクタの出力特性に適合した輝度変換テーブルを備え、前記輝度変換テーブルを使用して、前記プロジェクタに送出する表示情報の色調整を行い、
前記輝度変換テーブルは、そのガンマ曲線のパラメータが、前記特定キーの操作に応じて調整されることを特徴とする請求項１に記載の携帯情報処理装置。
【請求項３】
キーボードと、内蔵表示デバイスとを備えると共に、プロジェクタを接続可能な携帯情報処理装置のビデオ信号調整方法において、
前記プロジェクタの選択の有無を示すプロジェクタフラグを設定するフラグ設定工程と、
前記プロジェクタフラグが前記プロジェクタの選択を示す場合には、前記キーボードに設けられた特定キーの操作に応じて、前記プロジェクタに送出する表示情報の色調整を行う色調整工程と、
前記プロジェクタフラグが前記プロジェクタの選択を示さない場合には、前記特定キーの操作に応じて、前記内蔵表示デバイスの輝度調整を行う内蔵表示デバイス制御工程と、
を含むことを特徴とする携帯情報処理装置のビデオ信号調整方法。
【請求項４】
前記色調整工程では、前記プロジェクタの出力特性に適合した輝度変換テーブルを使用して、前記プロジェクタに送出する表示情報の色調整を行い、
前記輝度変換テーブルは、そのガンマ曲線のパラメータが、前記特定キーの操作に応じて調整されることを特徴とする請求項３に記載の携帯情報処理装置のビデオ信号調整方法。
【発明の詳細な説明】
【技術分野】
【０００１】
本発明は、携帯情報処理装置およびそのビデオ信号調整方法し、詳細には、外部表示デバイスにビデオ信号を送出して画像出力させる場合に、その出力画像を簡単に調整することが可能な携帯情報処理装置およびそのビデオ信号調整方法に関する。
【背景技術】
【０００２】
プレゼンテーションシステムでは、ノート型パーソナルコンピュータ装置（以下、「ノート型ＰＣ」と称する）からプロジェクタにビデオ信号を送出し、プロジェクタは入力されるビデオ信号に応じた画像をホワイトボードに投影してプレゼンテーションを行う方法が採用されている。一般的に、プロジェクタでは、入力されるビデオ信号の階調特性と投影画像の階調特性が一致していないため、投影画像の色が正しく表示されない・淡くて判別不能・黒つぶれ・白とび等といった問題が発生し、プレゼンテーションに支障をきたす場合がある。
【０００３】
これに対して、ノート型ＰＣに搭載されるＷｉｎｄｏｗｓＯＳ（Ｒ）のコントロールパネルのディスプレイ設定画面を開いて設定を変えることで、上記問題を回避することが可能であるが、問題が起きる度にディスプレイ設定画面を開いて設定を変えるのは、ユーザ操作が煩雑となり、プレゼンテーションの効果を落とすものであり望ましいものではない。他方、ディスプレイ設定画面でプロジェクタの投影画像の画質を調整可能であることを知らないユーザも多い。このため、プロジェクタの投影画像の階調を簡単に調整する方法が望まれている。
【０００４】
例えば、特許文献１では、ＣＲＴを別の機種へ変更する場合に、ハードウェアの変更を不要とし、γ係数をソフトウェア的に管理するために、Ｄ／ＡコンバータＬＳに内蔵されたパレットＲＡＭを、γ係数をかけたデータの格納用として流用し、ＣＲＴの色表現の階調に合わせてγ係数を変更する必要が応じた場合、データレジスタへのアクセスによってソフトウェア的にパレットＲＡＭの内容を書き換える構成が提案されている。
【０００５】
しかしながら、上記特許文献１では、外部表示デバイスにビデオ信号を送出して画像出力させる場合に、その出力画像の階調を簡単に調整する方法に関しては何等言及されていない。
【０００６】
【特許文献１】特開平０５−２０５０４３号公報
【発明の開示】
【発明が解決しようとする課題】
【０００７】
本発明は、上記課題に鑑みてなされたものであり、外部表示デバイスにビデオ信号を送出して画像出力させる場合に、その出力画像を簡単に調整することが可能な携帯情報処理装置およびそのビデオ信号調整方法を提供することを目的とする。
【課題を解決するための手段】
【０００８】
上述した課題を解決し、目的を達成するために、本発明は、キーボードと、内蔵表示デバイスとを備えた携帯情報処理装置において、表示情報の色調整を行う色調整手段と、前記色調整手段で色調整された表示情報をビデオ信号に変換し、変換したビデオ信号を外部表示デバイスおよび／または前記内蔵表示デバイスに出力するビデオ信号出力手段と、を備え、前記ビデオ信号出力手段で前記外部表示デバイスにビデオ信号を出力する場合には、前記色調整手段は、前記キーボードの特定キーの操作に応じて、前記表示情報の色調整を行うことを特徴とする。
【０００９】
また、本発明の好ましい態様によれば、前記色調整手段は、前記外部表示デバイスの出力特性に適合した輝度変換テーブルを備え、前記ビデオ信号出力手段で前記外部表示デバイスにビデオ信号を出力する場合には、前記色調整手段は、前記輝度変換テーブルを使用して、前記表示情報の色調整を行い、前記輝度変換テーブルは、そのガンマ曲線のパラメータが、前記特定キーの操作に応じて調整されることが望ましい。
【００１０】
また、本発明の好ましい態様によれば、前記特定キーの操作に応じて、前記内蔵表示デバイスの輝度調整を行う前記内蔵表示デバイス制御手段を備えることが望ましい。
【００１１】
また、本発明の好ましい態様によれば、外部表示デバイスの選択の有無を示す外部表示デバイスフラグを設定するフラグ設定手段と、前記色調整手段は、前記外部表示デバイスフラグが外部表示デバイスの選択を示す場合には、前記特定キーの操作に応じて、前記表示情報の色調整を行う一方、前記表示デバイス制御手段は、前記外部表示デバイスフラグが外部表示デバイスの選択を示さない場合には、前記特定キーの操作に応じて、前記内蔵表示デバイスの輝度調整を行うことが望ましい。
【００１２】
また、本発明の好ましい態様によれば、前記外部表示デバイスの選択の有無を示す外部表示デバイスフラグを設定するフラグ設定手段を備え、前記色調整手段は、前記外部表示デバイスの出力特性に適合した第１の輝度変換テーブルと、前記内蔵表示デバイスの出力特性に適合した第２の輝度変換テーブルとを有し、前記外部表示デバイスフラグが外部表示デバイスの選択を示す場合には、前記色調整手段は、前記第１の輝度変換テーブルを使用して、前記表示情報の色調整を行い、前記第１の輝度変換テーブルは、そのガンマ曲線のパラメータが、前記特定キーの操作に応じて調整され、前記ビデオ信号出力手段は当該色調整された表示情報をビデオ信号に変換して、前記外部表示デバイスに出力する一方、前記外部表示デバイスフラグが外部表示デバイスの選択を示さない場合には、前記色調整手段は、前記第２の輝度変換テーブルを使用して、前記表示情報の色調整を行い、前記第２の輝度変換テーブルは、そのガンマ曲線のパラメータが、前記特定キーの操作に応じて調整され、前記ビデオ信号出力手段は当該色調整された表示情報をビデオ信号に変換して、前記内蔵表示デバイスに出力することが望ましい。
【００１３】
また、本発明の好ましい態様によれば、前記外部表示デバイスは、プロジェクタであることが望ましい。
【００１４】
上述した課題を解決し、目的を達成するために、本発明は、キーボードと、内蔵表示デバイスとを備えた携帯情報処理装置のビデオ信号調整方法において、表示情報の色調整を行う色調整工程と、前記色調整工程で色調整された表示情報をビデオ信号に変換し、変換したビデオ信号を外部表示デバイスおよび／または前記内蔵表示デバイスに出力するビデオ信号出力工程と、を含み、前記ビデオ信号出力工程で前記外部表示デバイスにビデオ信号を出力する場合には、前記色調整工程では、前記キーボードの特定キーの操作に応じて、前記表示情報の色調整を行うことを特徴とする。
【発明の効果】
【００１５】
本発明によれば、キーボードと、内蔵表示デバイスとを備えた携帯情報処理装置において、表示情報の色調整を行う色調整手段と、前記色調整手段で色調整された表示情報をビデオ信号に変換し、変換したビデオ信号を外部表示デバイスおよび／または前記内蔵表示デバイスに出力するビデオ信号出力手段と、を備え、前記ビデオ信号出力手段で前記外部表示デバイスにビデオ信号を出力する場合には、前記色調整手段は、前記キーボードの特定キーの操作に応じて、前記表示情報の色調整を行うこととしたので、外部表示デバイスにビデオ信号を送出して画像出力させる場合に、その出力画像を簡単に調整することが可能な携帯情報処理装置を提供するが可能になるという効果を奏する。
【発明を実施するための最良の形態】
【００１６】
以下に、この発明につき図面を参照しつつ詳細に説明する。なお、この実施例によりこの発明が限定されるものではない。また、下記実施例における構成要素には、当業者が容易に想定できるものまたは実質的に同一のものが含まれる。以下の実施例では、本発明に係る携帯情報処理装置として、ノート型ＰＣを例示して説明する。なお、本発明に係る携帯情報処理装置は、ノート型ＰＣに限られるものではなく、ＰＤＡ、デジタルカメラ等の携帯情報処理装置が含まれる。
【実施例１】
【００１７】
本発明が適用されるノート型ＰＣを含むプレゼンテーションシステムの構成例について説明する。図１は、本発明の実施例１に係るノート型ＰＣを含むプレゼンテーションシステムの概略構成の一例を示す図である。
【００１８】
本発明の実施例１に係るプレゼンテーションシステム１は、ノート型ＰＣ２と、プロジェクタ３と、ホワイトボード４とで構成されている。ノート型ＰＣ２は、内蔵の液晶表示ディスプレイ１５やキーボード１２を備えている。また、ノート型ＰＣ２は、プロジェクタ３とビデオケーブル５で接続され、プレゼンテーションで使用する表示情報に応じたビデオ信号を送出する。プロジェクタ３は、ノート型ＰＣ２から入力されるビデオ信号に応じた画像をホワイトボード４に投影する。
【００１９】
図２は、図１のノート型ＰＣ２の概略のハードウェア構成例を示す図である。ノート型ＰＣ２は、同図に示すように、ＣＰＵ１１、ＲＯＭ１２、メモリ１３、ＨＤＤ（ハードディスク）１４、液晶ディスプレイ１５と、グラフィックスアダプタ１６と、ビデオポート１７と、エンベデッドコントローラ１８と、キーボード１９と、ＵＳＢポート２０と、バッテリ２１、ＤＣ−ＤＣコンバータ２２、およびＡＣアダプタ２３等を備えており、各部はバスを介して接続されている。
【００２０】
ＣＰＵ１１は、バスを介して接続されたＨＤＤ１４に格納されたＯＳ１４ａによりノート型ＰＣ２全体の制御を行うとともに、ＨＤＤ１４に格納された各種のプログラムに基づいて処理を実行する機能を司る。ＲＯＭ１２は、ＢＩＯＳ（Ｂａｓｉｃ  Ｉｎｐｕｔ／Ｏｕｔｐｕｔ  Ｓｙｓｔｅｍ：基本入出力システム）１２ａやデータ等を格納している。
【００２１】
メモリ１３は、キャッシュメモリやＲＡＭで構成されており、ＣＰＵ１１の実行プログラムの読み込み領域として、実行プログラムの処理データを書き込む作業領域として利用される書き込み可能メモリである。
【００２２】
ＨＤＤ（ハードディスク）１４は、例えば、Ｗｉｎｄｏｗｓ（Ｒ）等のノート型ＰＣ１全体の制御を行うためのＯＳ１４ａ、周辺機器類をハードウェア操作するための各種ドライバ１４ｂ、特定業務に向けられたアプリケーションプログラム１４ｃ等を記憶する機能を有する。
【００２３】
グラフィックスアダプタ１６は、ＣＰＵ１１の制御に従って、表示情報をビデオ信号に変換し、変換したビデオ信号を液晶ディスプレイ１５に出力したり、ビデオポート１７を介してプロジェクタ３に出力する。
【００２４】
液晶ディスプレイ１５は、ＬＣＤコントローラ１５ａと、ＬＣＤパネル１５ｂと、バックライトコントローラ１５ｃと、およびバックライト１５ｄとで構成されている。ＬＣＤパネル１５ｂは、透過型または半透過型の液晶パネルであり、ＣＰＵ１２の制御に従って、各種情報を表示する機能を有している。ＬＣＤコントローラ１５ａは、ＣＰＵ１１の制御に従って、ＬＣＤパネル１５ｂの表示制御を行い、グラフィックアダプタ１６から入力されるビデオ信号に応じた各種情報をＬＣＤパネル１５ｂに表示させる。バックライトコントローラ１５ｃは、グラフィックスアダプタ１６を介して、ＣＰＵ１１から入力される制御情報に基づいて、バックライト１５ｄの輝度を制御する。バックライト１５ｄは、ＣＣＦＬ、ＬＥＤ等の発光部品や反射板で構成されており、ＬＣＤパネル１５ｂを照光する。
【００２５】
エンベデッドコントローラ１８は、キーボード１９を制御する。キーボード１９は、ユーザが入力操作を行うためのユーザインターフェースであり、文字、コマンド等を入力する各種キーより構成されるキーや、画面上のカーソルを移動させたり、各種メニューを選択するスライスパッド等を備えている。キーボード１９のキーのうち、特定用途で使用される特定キーをホットキー１２ａと称する。
【００２６】
本実施例では、ホットキー１９は、「Ｆｎ＋Ｆ７」と、「Ｆｎ＋Ｈｏｍｅ（△）」、「Ｆｎ＋Ｅｎｄ（▽）」である。Ｆｎ＋Ｆ７は、表示デバイス設定画面を表示するためのキー、Ｆｎ＋Ｈｏｍｅ（△）およびＦｎ＋Ｅｎｄ（▽）は、液晶ディスプレイ１５の輝度およびプロジェクタ３の投影画像の輝度を調整するためのキーである。詳細を後述するように、本実施例では、Ｆｎ＋Ｈｏｍｅ（△）およびＦｎ＋Ｅｎｄ（▽）を、液晶ディスプレイ１５の輝度調整とプロジェクタ３の投影画像の輝度調整に兼用することで、ユーザ操作を簡素化している。
【００２７】
ＡＣアダプタ２３は、商用電源に接続して、ＡＣ電圧をＤＣ電圧に変換してＤＣ−ＤＣコンバータ２２に出力する。ＤＣ−ＤＣコンバータ２２は、ＡＣアダプタ２３から供給されるＤＣ電圧を所定の電圧に変換して各部に電力を供給し、また、バッテリ２０の充電を行う。バッテリ２０は、ＤＣ−ＤＣコンバータ２２により充電され、充電した電圧を各部に供給する。 
【００２８】
図３は、図２のノート型ＰＣ２のビデオ信号の出力に関する機能構成を示す図である。以下の説明では、ＣＰＵ１１がプログラムを実行して実現する機能を、プログラムを動作主体として説明する。ノート型ＰＣ２は、図３に示すように、プレゼンテーション用アプリケーション１０１と、ホットキードライバ１０２と、グラフィックスデバイスドライバ１０３を備えている。
【００２９】
プレゼンテーション用アプリケーション１０１は、プレゼンテーションを行うための各種機能を設定するためのものであり、表示デバイス設定画面を表示する。図４は、プレゼンテーション用アプリケーション１０１が表示する表示デバイス設定画面の一例を示す図である。この表示デバイス設定画面では、ユーザが使用する表示デバイス等の選択（液晶ディスプレイおよびプロジェクタの選択、液晶ディスプレイのみの選択等）が可能となっている。プレゼンテーション用アプリケーション１０１は、表示デバイス設定画面でプロジェクタを含んだ構成が選択された場合に、メモリ１３のプロジェクタフラグ（外部表示デバイスフラグ）１３ａをアクティブ（「１」）に設定する。プロジェクタフラグ１３ａは、電源ＯＦＦ時にハードディスク装置１４に退避し、電源ＯＮ時にハードディスク装置１４からロードして、その値を保持する構成としてもよい。
【００３０】
ホットキードライバ１０２は、ホットキー１９ａの操作を検出するためのドライバであり、また、Ｒ、Ｇ、Ｂ各色のプロジェクタ用輝度変換テーブル１０２ａを備えている。図５−１は、プロジェクタ用輝度変換テーブル１０２ａの一例を示す図であり、ＲＧＢのプロジェクタ用輝度テーブルのうち一色分を示している。同図において、横軸は入力データの輝度値（０〜２５５）、縦軸は出力データの輝度値（０〜２５５）を示している。同図において、実線はデフォルトのガンマ曲線を示しており、接続されるプロジェクタ３の出力特性に適合したものとなっている。
【００３１】
図５−２は、プロジェクタ用輝度変換テーブル１０２ａのガンマ曲線のパラメータ調整を説明するための図である。同図において、ホットキードライバ１０２は、プロジェクタが選択されている場合に、Ｆｎ＋Ｈｏｍｅ（△）、Ｆｎ＋Ｅｎｄ（▽）の操作に応じて、プロジェクタ用輝度テーブル１７ａのガンマ曲線のパラメータ（ガンマ値）を変更する。具体的には、ホットキードライバ１０２は、Ｆｎ＋Ｈｏｍｅ（△）が操作されると、ＲＧＢ各色のプロジェクタ用輝度変換テーブル１０２ａのガンマ曲線のパラメータを１段階ＵＰし、Ｆｎ＋Ｅｎｄ（▽）が操作されるとＲＧＢ各色のプロジェクタ用輝度テーブル１７ａのパラメータを１段階ＤＯＷＮする。
【００３２】
ＯＳ１４ａは、アプリケーションソフトウェア１４ｃで使用されるテキストファイルや画像ファイルの表示情報（色情報を含む）をグラフィックスデバイスドライバ１０３に与える。グラフィックスデバイスドライバ１０３は、グラフィックスアダプタ１６に合わせてＯＳ１４ａから与えられる表示情報（色情報を含む）を表示するためのソフトウェアであり、グラフィックスアダプタ１６にアプリケーションソフトウェア１４ｃで使用される表示情報（色情報を含む）を与える。
【００３３】
また、グラフィックスデバイスドライバ１０３は、プロジェクタが選択されている場合には、メモリ１３にロードされたプロジェクタ用輝度変換テーブル１０２ａを使用して表示情報を色調整（階調調整）し、色調整後の表示情報をグラフィックスアダプタ１６に出力する。
【００３４】
グラフィックスアダプタ１６は、グラフィックスデバイスドライバ１０３から入力される表示情報をビデオ信号に変換して、液晶ディスプレイ１５および／またはプロジェクタ３に出力する。
【００３５】
上記構成において、ホットキードライバ１０２、ＯＳ１４ａ、およびグラフィックスデバイスドライバ１０３等は、色調整手段として機能し、グラフィックスアダプタ１６はビデオ信号出力手段として機能し、ホットキードライバ１０２等は内蔵表示デバイス制御手段として機能し、プレゼンテーション用アプリケーション１０１はフラグ設定手段として機能する。
【００３６】
図６〜図７を参照して、上記図３のノート型ＰＣ２の階調調整動作について説明する。図６は、ノート型ＰＣ２の表示デバイス設定を説明するためのフローチャートである。同図において、まず、ホットキードライバ１０２は、Ｆｎ＋Ｆ７の操作を検出すると（ステップＳ１の「Ｙｅｓ」）、Ｆｎ＋Ｆ７の操作をプレゼンテーション用アプリケーション１０１に通知する。これに応じて、プレゼンテーション用アプリケーション１０１は、表示デバイス設定画面（図５参照）を液晶ディスプレイ１５に表示する（ステップＳ２）。ユーザにより表示デバイス選択画面で表示デバイスの構成が選択される（ステップＳ３）。
【００３７】
プレゼンテーション用アプリケーション１０１は、プロジェクタを含んだ構成が選択されたか否かを判断し（ステップＳ４）、プロジェクタを含んだ構成が選択されていない場合には（ステップＳ４の「Ｎｏ」）、選択された表示デバイスの構成を適用する（ステップＳ５）。他方、プロジェクタを含んだ構成が選択された場合には（ステップＳ４の「Ｙｅｓ」）、メモリ１３に格納されるプロジェクタフラグ１３ａをアクティブ（「１」）に設定した後（ステップＳ６）、選択された表示デバイスの構成を適用する（ステップＳ５）。
【００３８】
図７は、図３のノート型ＰＣ２の階調調整を説明するためのフローチャートである。同図において、ホットキードライバ１０２は、Ｆｎ＋Ｈｏｍｅ（△）／Ｆｎ＋Ｅｎｄ（▽）の操作を検出すると（ステップＳ１１の「Ｙｅｓ」）、メモリ１３に格納されているプロジェクタフラグ１３ａがアクティブ（「１」）か否かを判断する（ステップＳ１２）。ホットキードライバ１７は、プロジェクタフラグ１４ａがアクティブでない（「０」）場合には（ステップＳ１２の「Ｎｏ」）、Ｆｎ＋Ｈｏｍｅ（△）／Ｆｎ＋Ｅｎｄ（▽））の操作がＵＰかＤＯＷＭかを判断し（ステップＳ１３）、ＯＳ１４ａ、グラフィックスデバイスドライバ１０３、およびグラフィックスアダプタ１６を介して、ＵＰの場合には、液晶ディスプレイ１５のバックライト１５ｄの輝度を１ステップ上げる一方（ステップＳ１３）、ＤＯＷＮの場合には、バックライト１５ｄの輝度を１ステップ下げる（ステップＳ１４）。
【００３９】
他方、ホットキードライバ１０２は、プロジェクタフラグ１３ａがアクティブ（「１」）である場合には（ステップＳ１２の「Ｙｅｓ」）、プロジェクタ用輝度変換テーブル１０２ａをメモリ１３にロードする（ステップＳ１６）。そして、ホットキードライバ１０２は、Ｆｎ＋Ｈｏｍｅ（△）／Ｆｎ＋Ｅｎｄ（▽）の操作がＵＰかＤＯＷＭかを判断し（ステップＳ１７）、ＵＰの場合には、プロジェクタ用輝度変換テーブル１０２ａのパラメータの設定を１ステップ上げ（ステップＳ１８）、ＤＯＷＮの場合には、パラメータを１ステップ下げる（ステップＳ１９）。これにより、グラフィックスデバイスドライバ１０３では、パラメータ変更後のプロジェクタ用輝度変換テーブル１０２ａを使用して色調整（階調調整）が行われ、プロジェクタ３で投影される投影画像の階調が変更される。このようにして、ユーザは、Ｆｎ＋Ｈｏｍｅ（△）／Ｆｎ＋Ｅｎｄ（▽）を操作するだけで所望の階調の投影画像を得ることができる。
【００４０】
以上説明したように、実施例１によれば、キーボード１２と、内蔵の液晶ディスプレイ１５とを備え、表示情報の色調整を行うグラフィックスデバイスドライバ１０３と、グラフィックスデバイスドライバ１０３で色調整された表示情報をビデオ信号に変換して、プロジェクタ３に出力するグラフィックスアダプタ１６とを備え、グラフィックスアダプタ１６からプロジェクタ３にビデオ信号を出力する場合には、グラフィックスデバイスドライバ１０３は、ホットキー１９ａ（Ｆｎ＋Ｈｏｍｅ（△）／Ｆｎ＋Ｅｎｄ（▽））の操作に応じて、表示情報の色調整（階調調整）を行うこととしたので、プロジェクタの投影画像の階調調整を簡単に行うことが可能となる。
【００４１】
また、実施例１によれば、ホットキードライバ１０２は、プロジェクタ３の出力特性に適合したプロジェクタ用輝度変換テーブル１０２ａを備え、グラフィックスアダプタ１６からプロジェクタ３にビデオ信号を出力する場合には、ホットキードライバ１０２は、ホットキー１９ａ（Ｆｎ＋Ｈｏｍｅ（△）／Ｆｎ＋Ｅｎｄ（▽））の操作に応じて、プロジェクタ用輝度変換テーブル１０２ａのガンマ曲線のパラメータを変更し、グラフィックスデバイスドライバ１０３は、プロジェクタ用輝度変換テーブル１０２ａを使用して表示情報の色調整を行うこととしたので、ホットキー１９ａ（Ｆｎ＋Ｈｏｍｅ（△）／Ｆｎ＋Ｅｎｄ（▽））の操作に応じて、プロジェクタ用輝度変換テーブル１０２ａのガンマ曲線のパラメータを変更することで、プロジェクタの出力画像の調整を行うことが可能となる。
【００４２】
また、実施例１によれば、ホットキー１９ａ（Ｆｎ＋Ｈｏｍｅ（△）／Ｆｎ＋Ｅｎｄ（▽））を、液晶ディスプレイ１５の輝度調整とプロジェクタ３の出力画像の階調調整に兼用することとしたので、ユーザの画像調整に伴うキー操作を簡素化することが可能となる。
【００４３】
また、実施例１によれば、プレゼンテー用アプリケーション１０１は、プロジェクタ３を選択する場合には、プロジェクタフラグ１３ａをアクティブに設定し、プロジェクタフラグ１３ａがアクティブの場合には、ホットキー１９ａ（Ｆｎ＋Ｈｏｍｅ（△）／Ｆｎ＋Ｅｎｄ（▽））をプロジェクタ３の出力画像の調整に使用し、プロジェクタフラグ１３ａがアクティブでない場合には、ホットキー１９ａ（Ｆｎ＋Ｈｏｍｅ（△）／Ｆｎ＋Ｅｎｄ（▽））を液晶ディスプレイ１５の輝度調整に使用することとしたので、簡単に、液晶ディスプレイ１５に表示される画像の調整とプロジェクタ３の出力画像の調整とを切り替えることが可能となる。
【実施例２】
【００４４】
次に、実施例２に係るノート型ＰＣ２について説明する。実施例１では、プロジェクタが選択されていない場合は、Ｆｎ＋Ｈｏｍｅ（△）／Ｆｎ＋Ｅｎｄ（▽）の操作に応答して液晶ディスプレイ１５のバックライト５ｄの輝度を変更する構成である。これに対して、実施例２では、液晶ディスプレイ用輝度変換テーブルを設け、プロジェクタが選択されていない場合は、Ｆｎ＋Ｈｏｍｅ（△）／Ｆｎ＋Ｅｎｄ（▽）の操作に応答して液晶ディスプレイ用輝度変換テーブルのガンマ曲線のパラメータを変更して、液晶ディスプレイ１５に送出されるビデオ信号の色調整（階調調整）を行う構成である。実施例２において、実施例１と共通する部分の説明は省略し、異なる点についてのみ説明する。
【００４５】
図８は、実施例２に係るノート型ＰＣ２のビデオ信号の出力に関する機能構成を示す図である。同図において、ホットキードライバ１０２は、プロジェクタ用輝度変換テーブル１０２ａに加えて、Ｒ、Ｇ、Ｂ各色の液晶ディスプレイ用輝度変換テーブル１０２ｂを備えている。ホットキードライバ１０２は、プロジェクタフラグ１３ａがアクティブ（「１」）の場合には、メモリ１３にプロジェクタ用輝度変換テーブル１０２ａをロードし、アクティブでない場合には、メモリ１３に液晶ディスプレイ用輝度変換テーブル１０２ｂをロードする。
【００４６】
グラフィックスデバイスドライバ１０３は、プロジェクタが選択されていない場合には、メモリ１３にロードされた液晶ディスプレイ用輝度変換テーブル１０２ｂを使用して表示情報を色調整（輝度調整）し、調整後の表示情報をグラフィックスアダプタ１６に出力する。グラフィックスアダプタ１６では、表示情報がビデオ信号に変換されて、液晶ディスプレイ１５に出力される。
【００４７】
図９−１は、液晶ディスプレイ用輝度変換テーブル１０２ｂの一例を示す図であり、ＲＧＢの液晶ディスプレイ用輝度変換テーブル１０２ｂのうち一色分を示している。同図において、横軸は入力データの輝度値（０〜２５５）、縦軸は出力データの輝度値を示している。同図において、実線はデフォルトのガンマ曲線を示しており、内蔵する液晶ディスプレイ１５の出力特性に適合したものとなっている。
【００４８】
図９−２は、液晶ディスプレイ用輝度変換テーブル１０２ｂのガンマ曲線のパラメータの調整を説明するための図である。同図において、ホットキードライバ１０２は、プロジェクタが選択されていない場合に、Ｆｎ＋Ｈｏｍｅ（△）、Ｆｎ＋Ｅｎｄ（▽）の操作に応じて、液晶ディスプレイ用輝度テーブル１０２ｂのガンマ曲線のパラメータを変更する。具体的には、ホットキードライバ１０２は、Ｆｎ＋Ｈｏｍｅ（△）が操作されると、ＲＧＢ各色の液晶ディスプレイ用輝度変換テーブル１０２ｂのガンマ曲線のパラメータを１段階ＵＰさせ、Ｆｎ＋Ｅｎｄ（▽）が操作されると、ＲＧＢ各色の液晶ディスプレイ用輝度テーブル１０２ｂのパラメータを１段階ＤＯＷＮさせる。
【００４９】
図１０は、実施例２に係るノート型ＰＣ２の階調調整を説明するためのフローチャートである。図１０において、図７と同様の処理を行うステップには同一のステップ番号を付してその説明は省略し、異なる処理についてのみ説明する。
【００５０】
図１０において、ホットキードライバ１０２は、Ｆｎ＋Ｈｏｍｅ（△）／Ｆｎ＋Ｅｎｄ（▽）の操作を検出し（ステップＳ１１の「Ｙｅｓ」）、メモリ１３に格納されているプロジェクタフラグ１３ａがアクティブでない（「０」）場合には（ステップＳ１２の「Ｎｏ」）、液晶ディスプレイ用輝度変換テーブル１０２ｂをメモリ１３にロードする（ステップＳ２１）。
【００５１】
そして、ホットキードライバ１０２は、Ｆｎ＋Ｈｏｍｅ（△）／Ｆｎ＋Ｅｎｄ（▽）の操作がＵＰかＤＯＷＭかを判断し（ステップＳ２２）、ＵＰの場合には、液晶表示用輝度変換テーブル１０２ｂのパラメータの設定を１ステップ上げ（ステップＳ２３）、ＤＯＷＮの場合には、パラメータを１ステップ下げる（ステップＳ２４）。これにより、グラフィックスデバイスドライバ１０３では、パラメータ変更後の液晶ディスプレイ用輝度変換テーブル１０２ｂを使用して表示情報の色調整（階調調整）が行われ、液晶ディスプレイ１５に表示される画像の階調が変更される。
【００５２】
以上説明しように、実施例２によれば、ホットキードライバ１０２は、プロジェクタ３の出力特性に適合したプロジェクタ用輝度変換テーブル１０２ａと、液晶ディスプレイ１５出力特性に適合した液晶ディスプレイ用輝度変換テーブル１０２ｂとを備え、グラフィックスアダプタ１６からプロジェクタ３にビデオ信号を出力する場合には、ホットキードライバ１０２は、ホットキー１９ａ（Ｆｎ＋Ｈｏｍｅ（△）／Ｆｎ＋Ｅｎｄ（▽））の操作に応じて、プロジェクタ用輝度変換テーブル１０２ａのガンマ曲線のパラメータを変更し、グラフィックスデバイスドライバ１０３は、プロジェクタ用輝度変換テーブル１０２ａを使用して表示情報の色調整を行う一方、グラフィックスアダプタ１６からプロジェクタ３にビデオ信号を出力しない場合には、ホットキードライバ１０２は、キーボード１９のホットキー１９ａ（Ｆｎ＋Ｈｏｍｅ（△）／Ｆｎ＋Ｅｎｄ（▽））の操作に応じて、液晶ディスプレイ用輝度変換テーブル１０２ｂのガンマ曲線のパラメータを変更し、グラフィックスデバイスドライバ１０３は、液晶ディスプレイ用輝度変換テーブル１０２ｂを使用して表示情報の色調整を行うこととしたので、簡単に、液晶ディスプレイに表示される画像の調整とプロジェクタの出力画像の調整を行うことが可能となる。
【００５３】
なお、上記実施例１，２では、外部表示デバイスとしてプロジェクタを例示して説明したが、本発明はこれに限られるものではなく、他の表示デバイスを使用することにしてもよい。
【００５４】
また、上記実施例１，２では、ホットキー１９ａとして、Ｆｎ＋Ｈｏｍｅ（△）／Ｆｎ＋Ｅｎｄ（▽）を使用することとしたが、本発明はこれに限られるものではなく、他のキーをホットキーとしてよい。
【００５５】
また、本実施例１，２では、色調整としてガンマ変換について説明したが本発明はこれに限られるものではなく、他の色調整を行うことにしてもよい。
【００５６】
また、上記実施例１，２では、本発明に係る携帯情報処理装置として、ノート型ＰＣを例示して説明したが、本発明に係る携帯情報処理装置は、ノート型ＰＣに限られるものではなく、内蔵モニタを備えた携帯情報処理装置であればよく、例えば、ＰＤＡ、デジタルカメラ等の各種の携帯情報処理装置に適用可能である。
【産業上の利用可能性】
【００５７】
本発明に係る携帯情報処理装置およびそのビデオ信号調整方法は、外部表示デバイスにビデオ信号を送出して画像出力させる場合に、その出力画像を簡単に調整する場合に有用である。
【図面の簡単な説明】
【００５８】
【図１】本発明の実施例１に係るノート型ＰＣを含むプレゼンテーションシステムの概略構成の一例を示す図である。
【図２】図１のノート型ＰＣの概略のハードウェア構成例を示す図である。
【図３】図２のノート型ＰＣのビデオ信号の出力に関する機能構成を示す図である。
【図４】プレゼンテーション用アプリケーションが表示する表示デバイス設定画面の一例を示す図である。
【図５−１】プロジェクタ用輝度変換テーブルの一例を示す図である。
【図５−２】プロジェクタ用輝度変換テーブルのガンマ曲線のパラメータ調整を説明するための図である。
【図６】図３のノート型ＰＣの表示デバイス設定を説明するためのフローチャートである。
【図７】図３のノート型ＰＣの階調調整を説明するためのフローチャートである。
【図８】実施例２に係るノート型ＰＣのビデオ信号の出力に関する機能構成を示す図である。
【図９−１】液晶ディスプレイ用輝度変換テーブルの一例を示す図である。
【図９−２】液晶ディスプレイ用輝度変換テーブルのガンマ曲線のパラメータ調整を説明するための図である。
【図１０】実施例２に係るノート型ＰＣの階調調整を説明するためのフローチャートである。
【符号の説明】
【００５９】
１  プレゼンテーションシステム
２  ノート型ＰＣ
３  プロジェクタ
４  ホワイトボード
５  ビデオケーブル
１１  ＣＰＵ
１２  ＲＯＭ
１２ａ  ＢＩＯＳ
１３  メモリ
１３ａ  プロジェクタフラグ
１４  ＨＤＤ（ハードディスク）
１４ａ  ＯＳ
１４ｂ  ドライバ
１４ｃ  アプリケーション
１５  液晶ディスプレイ
１５ａ  ＬＣＤコントローラ
１５ｂ  ＬＣＤパネル
１５ｃ  バックライトコントローラ
１５ｄ  バックライト
１６  グラフィックスアダプタ
１７  ビデオポート
１８  エンベデッドコントローラ
１９  キーボード
１９ａ  ホットキー
２０  ＵＳＢポート
２１  バッテリ
２２  ＤＣ−ＤＣコンバータ
２３  ＡＣアダプタ
１０１  プレゼンテーション用アプリケーション
１０２  ホットキードライバ
１０２ａ  プロジェクタ用輝度変換テーブル
１０２ｂ  液晶ディスプレイ用輝度変換テーブル
１０３  グラフィックスデバイスドライバ
【図１】
0004995128.tif 000002
【図２】
0004995128.tif 000003
【図３】
0004995128.tif 000004
【図４】
0004995128.tif 000005
【図５−１】
0004995128.tif 000006
【図５−２】
0004995128.tif 000007
【図６】
0004995128.tif 000008
【図７】
0004995128.tif 000009
【図８】
0004995128.tif 000010
【図９−１】
0004995128.tif 000011
【図９−２】
0004995128.tif 000012
【図１０】
0004995128.tif 000013